(57)【要約】  管理装置は、１または複数のセンサの計測結果を示すセンサデータを取得する取得部と、計測値に関する監視対象範囲の設定を受け付ける画面および異常判定の判定条件の設定を受け付ける画面を表示する制御を行う表示制御部と、前記取得部により取得された前記センサデータのうち、前記計測値に関する監視対象範囲に含まれる前記センサデータである範囲内データを含むデータ群の統計処理を行う演算部と、前記演算部による前記統計処理の結果が前記判定条件を満たす場合、所定の出力を行う出力部とを備える。
2019220913.tif 000002
【特許請求の範囲】
【請求項１】
１または複数のセンサの計測結果を示すセンサデータを取得する取得部と、
計測値に関する監視対象範囲の設定を受け付ける画面および異常判定の判定条件の設定を受け付ける画面を表示する制御を行う表示制御部と、
前記取得部により取得された前記センサデータのうち、前記計測値に関する監視対象範囲に含まれる前記センサデータである範囲内データを含むデータ群の統計処理を行う演算部と、
前記演算部による前記統計処理の結果が前記判定条件を満たす場合、所定の出力を行う出力部とを備える、管理装置。
【請求項２】
前記表示制御部は、さらに、期間に関する監視対象範囲の設定を受け付ける画面を表示する制御を行い、
前記演算部は、前記取得部により取得された前記センサデータのうち、前記計測値に関する監視対象範囲に含まれ、かつ前記期間に関する監視対象範囲に含まれる前記センサデータである範囲内データを含むデータ群の統計処理を行う、請求項１に記載の管理装置。
【請求項３】
前記画面において、前記期間として周期的な期間を設定可能である、請求項２に記載の管理装置。
【請求項４】
前記表示制御部は、さらに、前記範囲内データに含まれない前記センサデータである範囲外データの処理方法の設定を受け付ける画面を表示する制御を行い、
前記演算部は、前記範囲内データに、設定された前記処理方法による前記範囲外データの処理結果を加えたデータ群の統計処理を行う、請求項１から請求項３のいずれか１項に記載の管理装置。
【請求項５】
前記表示制御部は、さらに、設備を示すとともに前記設備に設置された複数の前記センサの計測結果の状態を示す、センサ画面を表示する制御を行い、
前記表示制御部は、前記センサ画面において、対応の前記センサデータが前記判定条件を満たすか否かに応じて前記状態を異なる態様で表示し、
前記表示制御部は、前記センサ画面において前記状態に対する所定の操作が行われた場合、前記範囲内データおよび前記判定条件の少なくともいずれか一方に関する画面、または前記画面へ遷移するための画面を表示する、請求項１から請求項４のいずれか１項に記載の管理装置。
【請求項６】
前記表示制御部は、さらに、エリアを示すとともに前記エリアに設置された複数の設備の状態を示す、設備画面を表示する制御を行い、
前記表示制御部は、前記設備における各前記センサの計測結果の状態のうち、前記状態の種類に関する所定の優先度に応じて前記設備画面における前記設備の状態を決定し、
前記表示制御部は、前記設備画面において前記設備の状態に対する所定の操作が行われた場合、前記センサ画面を表示する、請求項５に記載の管理装置。
【請求項７】
前記表示制御部は、前記設備に設置された前記センサに関する内容をさらに示す前記設備画面を表示する制御を行い、
前記表示制御部は、前記設備に設置された複数の前記センサにそれぞれ対応する複数の前記統計処理の結果が前記判定条件を満たす場合、複数の前記センサのうち、前記判定条件を満たすと判定された日時が最新である前記統計処理の結果に対応する前記センサを選択し、選択した前記センサに関する内容を示す前記設備画面を表示する制御を行う、請求項６に記載の管理装置。
【請求項８】
前記表示制御部は、さらに、複数のエリアの状態を示すエリア画面を表示する制御を行い、
前記表示制御部は、前記エリアにおける各設備の状態のうち、前記設備の状態の種類に関する所定の優先度に応じて前記エリア画面における前記エリアの状態を決定し、
前記表示制御部は、前記エリア画面において前記エリアの状態に対する所定の操作が行われた場合、前記設備画面を表示する、請求項６または請求項７に記載の管理装置。
【請求項９】
管理装置における管理方法であって、
１または複数のセンサの計測結果を示すセンサデータを取得するステップと、
計測値に関する監視対象範囲の設定を受け付ける画面を表示する制御を行うステップと、
異常判定の判定条件の設定を受け付ける画面を表示する制御を行うステップと、
取得した前記センサデータのうち、前記計測値に関する監視対象範囲に含まれる前記センサデータである範囲内データを含むデータ群の統計処理を行うステップと、
前記統計処理の結果が前記判定条件を満たす場合、所定の出力を行うステップとを含む、管理方法。
【請求項１０】
管理装置において用いられる管理プログラムであって、
コンピュータを、
１または複数のセンサの計測結果を示すセンサデータを取得する取得部と、
計測値に関する監視対象範囲の設定を受け付ける画面および異常判定の判定条件の設定を受け付ける画面を表示する制御を行う表示制御部と、
前記取得部により取得された前記センサデータのうち、前記計測値に関する監視対象範囲に含まれる前記センサデータである範囲内データを含むデータ群の統計処理を行う演算部と、
前記演算部による前記統計処理の結果が前記判定条件を満たす場合、所定の出力を行う出力部、
として機能させるための、管理プログラム。
【発明の詳細な説明】
【技術分野】
【０００１】
本発明は、管理装置、管理方法および管理プログラムに関する。
この出願は、２０１８年５月１５日に出願された日本出願特願２０１８−０９３４７４号を基礎とする優先権を主張し、その開示のすべてをここに取り込む。
【背景技術】
【０００２】
特開２００６−２０８０００号公報（特許文献１）には、以下のような技術が開示されている。すなわち、空気流分配装置は、データセンタ内で使用する空気流分配装置であって、前記データセンタ内の少なくとも１つのサーバにおける複数のファンに結合されている少なくとも１つの空気流センサと、前記少なくとも１つの空気流センサに結合されるとともに、前記複数のファンについて空気流を監視するとともに、検知された空気流に応じて前記データセンタ内での冷却を制御するように構成されるコントローラとを備えることを特徴とする。
【先行技術文献】
【特許文献】
【０００３】
【特許文献１】特開２００６−２０８０００号公報
【発明の概要】
【０００４】
（１）本開示の管理装置は、１または複数のセンサの計測結果を示すセンサデータを取得する取得部と、計測値に関する監視対象範囲の設定を受け付ける画面および異常判定の判定条件の設定を受け付ける画面を表示する制御を行う表示制御部と、前記取得部により取得された前記センサデータのうち、前記計測値に関する監視対象範囲に含まれる前記センサデータである範囲内データを含むデータ群の統計処理を行う演算部とを備え、前記表示制御部は、さらに、異常判定の判定条件の設定を受け付ける画面を表示する制御を行い、さらに、前記演算部による前記統計処理の結果が前記判定条件を満たす場合、所定の出力を行う出力部とを備える。
【０００５】
（９）本開示の管理方法は、管理装置における管理方法であって、１または複数のセンサの計測結果を示すセンサデータを取得するステップと、計測値に関する監視対象範囲の設定を受け付ける画面を表示する制御を行うステップと、異常判定の判定条件の設定を受け付ける画面を表示する制御を行うステップと、取得した前記センサデータのうち、前記計測値に関する監視対象範囲に含まれる前記センサデータである範囲内データを含むデータ群の統計処理を行うステップと、前記統計処理の結果が前記判定条件を満たす場合、所定の出力を行うステップとを含む。
【０００６】
（１０）本開示の管理プログラムは、管理装置において用いられる管理プログラムであって、コンピュータを、１または複数のセンサの計測結果を示すセンサデータを取得する取得部と、計測値に関する監視対象範囲の設定を受け付ける画面および異常判定の判定条件の設定を受け付ける画面を表示する制御を行う表示制御部と、前記取得部により取得された前記センサデータのうち、前記計測値に関する監視対象範囲に含まれる前記センサデータである範囲内データを含むデータ群の統計処理を行う演算部と、前記演算部による前記統計処理の結果が前記判定条件を満たす場合、所定の出力を行う出力部、として機能させるためのプログラムである。
【０００７】
本開示の一態様は、このような特徴的な処理部を備える管理装置として実現され得るだけでなく、管理装置の一部又は全部を実現する半導体集積回路として実現され得たり、管理装置を含む管理システムとして実現され得る。
【図面の簡単な説明】
【０００８】
【図１】図１は、本発明の実施の形態に係る管理システムの構成を示す図である。
【図２】図２は、本発明の実施の形態に係る管理装置における抽出部により抽出されるデータ群の例１を示す図である。
【図３】図３は、本発明の実施の形態に係る管理装置における抽出部により抽出されるデータ群の例２を示す図である。
【図４】図４は、本発明の実施の形態に係る管理装置における抽出部により抽出されるデータ群の例３を示す図である。
【図５】図５は、本発明の実施の形態に係る管理装置における演算部による平均化処理の結果の一例を示す図である。
【図６】図６は、本発明の実施の形態に係る管理システムにおける表示装置に表示される画面の遷移の一例を示す図である。
【図７】図７は、本発明の実施の形態に係る管理システムにおける表示装置に表示されるエリア画面の一例を示す図である。
【図８】図８は、本発明の実施の形態に係る管理システムにおける表示装置に表示される設備画面の一例を示す図である。
【図９】図９は、本発明の実施の形態に係る管理システムにおける表示装置に表示されるセンサ画面の一例を示す図である。
【図１０】図１０は、本発明の実施の形態に係る管理システムにおける表示装置に表示されるグラフ表示画面の一例を示す図である。
【図１１】図１１は、本発明の実施の形態に係る管理システムにおける表示装置に表示される範囲設定画面の一例を示す図である。
【図１２】図１２は、本発明の実施の形態に係る表示装置に表示される、監視対象範囲が設定された後のグラフ表示画面の一例を示す図である。
【図１３】図１３は、本発明の実施の形態に係る表示装置に表示される、監視対象範囲が設定された後のグラフ表示画面の一例を示す図である。
【図１４】図１４は、本発明の実施の形態に係る管理システムにおける表示装置に表示される閾値設定画面の一例を示す図である。
【図１５】図１５は、本発明の実施の形態に係る管理装置の動作手順を定めたフローチャートである。
【発明を実施するための形態】
【０００９】
従来、センサの計測結果を用いて設備の状態を監視する技術が開発されている。
【００１０】
［本開示が解決しようとする課題］
センサの計測結果に基づいて設備の監視を行う場合、当該計測結果からノイズ等の不要な情報を除去し、より適切な監視を行うことのできる技術が求められている。
【００１１】
本開示は、上述の課題を解決するためになされたもので、その目的は、センサの計測結果に基づく設備の監視をより適切に行うことができる管理装置、管理方法および管理プログラムを提供することである。
【００１２】
［本開示の効果］
本開示によれば、センサの計測結果に基づく設備の監視をより適切に行うことができる。
【００１３】
［本願発明の実施形態の説明］
最初に、本発明の実施形態の内容を列記して説明する。
【００１４】
（１）本発明の実施の形態に係る管理装置は、１または複数のセンサの計測結果を示すセンサデータを取得する取得部と、計測値に関する監視対象範囲の設定を受け付ける画面および異常判定の判定条件の設定を受け付ける画面を表示する制御を行う表示制御部と、前記取得部により取得された前記センサデータのうち、前記計測値に関する監視対象範囲に含まれる前記センサデータである範囲内データを含むデータ群の統計処理を行う演算部と、前記演算部による前記統計処理の結果が前記判定条件を満たす場合、所定の出力を行う出力部とを備える。
【００１５】
このように、監視対象範囲および異常判定の判定条件の設定を受け付ける構成により、センサの計測対象等に応じた適切な異常判定を行うことができる。また、範囲内データを含むデータ群の統計処理を行う構成により、複数のセンサデータをそのまま用いて異常判定を行う場合と比較して、計測値のばらつき等を抑えたデータ群を用いてより適切な異常判定を行うことができる。したがって、センサの計測結果に基づく設備の監視をより適切に行うことができる。
【００１６】
（２）好ましくは、前記表示制御部は、さらに、期間に関する前記監視対象範囲の設定を受け付ける画面を表示する制御を行い、前記演算部は、前記取得部により取得された前記センサデータのうち、前記計測値に関する監視対象範囲に含まれ、かつ前記期間に関する監視対象範囲に含まれる前記センサデータである範囲内データを含むデータ群の統計処理を行う。
【００１７】
このように、計測値に関する設定に加えて、さらに、期間に関する監視対象範囲の設定を受け付ける構成により、たとえば、設備の稼働状況が期間に応じて変わる場合であっても、適切な異常判定を行うことができる。
【００１８】
（３）より好ましくは、前記画面において、前記期間として周期的な期間を設定可能である。
【００１９】
このような構成により、周期的に稼働状況等が変わる設備について、適切な異常判定を行うことができる。
【００２０】
（４）好ましくは、前記表示制御部は、さらに、前記範囲内データに含まれない前記センサデータである範囲外データの処理方法の設定を受け付ける画面を表示する制御を行い、前記演算部は、前記範囲内データに、設定された前記処理方法による前記範囲外データの処理結果を加えたデータ群の統計処理を行う。
【００２１】
このような構成により、所望の処理を行った後の範囲外データを含むデータ群を用いて、より適切な異常判定を行うことができる。
【００２２】
（５）好ましくは、前記表示制御部は、さらに、設備を示すとともに前記設備に設置された複数の前記センサの計測結果の状態を示す、センサ画面を表示する制御を行い、前記表示制御部は、前記センサ画面において、対応の前記センサデータが前記判定条件を満たすか否かに応じて前記状態を異なる態様で表示し、前記表示制御部は、前記センサ画面において前記状態に対する所定の操作が行われた場合、前記範囲内データおよび前記判定条件の少なくともいずれか一方に関する画面、または前記画面へ遷移するための画面を表示する。
【００２３】
このような構成により、ユーザにおいて、センサ画面を確認することにより、各センサの計測結果の状態を視覚的に容易に把握することができる。また、ユーザにおいて、各センサの計測結果の状態を把握したうえで１つのセンサを任意に選択し、選択したセンサに対応する、範囲内データおよび判定条件の少なくともいずれか一方に関する画面、または当該画面へ遷移するための画面を表示させることができる。
【００２４】
（６）より好ましくは、前記表示制御部は、さらに、エリアを示すとともに前記エリアに設置された複数の設備の状態を示す、設備画面を表示する制御を行い、前記表示制御部は、前記設備における各前記センサの計測結果の状態のうち、前記状態の種類に関する所定の優先度に応じて前記設備画面における前記設備の状態を決定し、前記表示制御部は、前記設備画面において前記設備の状態に対する所定の操作が行われた場合、前記センサ画面を表示する。
【００２５】
このような構成により、たとえば、設備の状態であって、ユーザに通知すべき優先度の高い種類の状態を設備画面に表示することができる。また、ユーザにおいて、各設備の状態を把握したうえで１つの設備を任意に選択し、選択した設備に対応するセンサ画面を表示させることができる。
【００２６】
（７）より好ましくは、前記表示制御部は、前記設備に設置された前記センサに関する内容をさらに示す前記設備画面を表示する制御を行い、前記表示制御部は、前記設備に設置された複数の前記センサにそれぞれ対応する複数の前記統計処理の結果が前記判定条件を満たす場合、複数の前記センサのうち、前記判定条件を満たすと判定された日時が最新である前記統計処理の結果に対応する前記センサを選択し、選択した前記センサに関する内容を示す前記設備画面を表示する制御を行う。
【００２７】
たとえば、同一の設備に設置された第１のセンサおよび第２のセンサにおいて、第１のセンサに対応する統計処理の結果が先に判定条件を満たすと判定され、その後、第２のセンサに対応する統計処理の結果が判定条件を満たすと判定されたとする。この場合、上記設備において、第１のセンサに対応する第１の箇所に異常が生じている期間に、第２のセンサに対応する第２の箇所が正常に動作していた期間が含まれる。すなわち、第１の箇所に異常が生じていても第２の箇所を正常化できる可能性が高いので、第２の箇所は、第１の箇所と比較して、正常な状態に戻す必要性が高い。
【００２８】
上記のように、判定条件を満たすと判定された日時が最新であるセンサを選択し、選択したセンサに関する内容を表示する制御を行う構成により、設備画面において、より効果的な通知を行うことができる。
【００２９】
（８）より好ましくは、前記表示制御部は、さらに、複数のエリアの状態を示すエリア画面を表示する制御を行い、前記表示制御部は、前記エリアにおける各設備の状態のうち、前記設備の状態の種類に関する所定の優先度に応じて前記エリア画面における前記エリアの状態を決定し、前記表示制御部は、前記エリア画面において前記エリアの状態に対する所定の操作が行われた場合、前記設備画面を表示する。
【００３０】
このような構成により、たとえば、エリアの状態であって、ユーザに通知すべき優先度の高い種類の状態をエリア画面に表示することができる。また、ユーザにおいて、各エリアの状態を把握したうえで１つのエリアを任意に選択し、選択したエリアに対応する設備画面を表示させることができる。
【００３１】
（９）本発明の実施の形態に係る管理方法は、管理装置における管理方法であって、
１または複数のセンサの計測結果を示すセンサデータを取得するステップと、計測値に関する監視対象範囲の設定を受け付ける画面を表示する制御を行うステップと、異常判定の判定条件の設定を受け付ける画面を表示する制御を行うステップと、取得した前記センサデータのうち、前記計測値に関する監視対象範囲に含まれる前記センサデータである範囲内データを含むデータ群の統計処理を行うステップと、前記統計処理の結果が前記判定条件を満たす場合、所定の出力を行うステップとを含む。
【００３２】
このように、監視対象範囲および異常判定の判定条件の設定を受け付ける方法により、センサの計測対象等に応じた適切な異常判定を行うことができる。また、範囲内データを含むデータ群の統計処理を行う構成により、複数のセンサデータをそのまま用いて異常判定を行う場合と比較して、計測値のばらつき等を抑えたデータ群を用いてより適切な異常判定を行うことができる。したがって、センサの計測結果に基づく設備の監視をより適切に行うことができる。
【００３３】
（１０）本発明の実施の形態に係る管理プログラムは、管理装置において用いられる管理プログラムであって、コンピュータを、１または複数のセンサの計測結果を示すセンサデータを取得する取得部と、計測値に関する監視対象範囲の設定を受け付ける画面および異常判定の判定条件の設定を受け付ける画面を表示する制御を行う表示制御部と、前記取得部により取得された前記センサデータのうち、前記計測値に関する監視対象範囲に含まれる前記センサデータである範囲内データを含むデータ群の統計処理を行う演算部と、前記演算部による前記統計処理の結果が前記判定条件を満たす場合、所定の出力を行う出力部、として機能させるためのプログラムである。
【００３４】
このように、監視対象範囲および異常判定の判定条件の設定を受け付ける構成により、センサの計測対象等に応じた適切な異常判定を行うことができる。また、範囲内データを含むデータ群の統計処理を行う構成により、複数のセンサデータをそのまま用いて異常判定を行う場合と比較して、計測値のばらつき等を抑えたデータ群を用いてより適切な異常判定を行うことができる。したがって、センサの計測結果に基づく設備の監視をより適切に行うことができる。
【００３５】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３６】
＜構成および基本動作＞
［管理システム］
図１は、本発明の実施の形態に係る管理システムの構成を示す図である。
【００３７】
図１を参照して、管理システム２０１は、管理装置１０１と、１または複数のセンサ１２１と、表示装置１３１とを備える。図１では、一例として、２つのセンサ１２１を示している。
【００３８】
各センサ１２１は、たとえば、設備Ｘまたは設備Ｘの周囲に設けられたセンサであって、設備Ｘの温度、設備Ｘの振動、または設備Ｘの内部を流れる冷却水の流量などを定期的または不定期に計測する。また、センサ１２１は、たとえば、計測結果、計測日時、およびセンサＩＤ（Ｉｄｅｎｔｉｆｉｃａｔｉｏｎ）を示すセンサデータを、無線通信または有線通信により管理装置１０１へ送信する。
【００３９】
管理装置１０１は、各センサ１２１から送信されたセンサデータを受信する。また、管理装置１０１は、受信した複数のセンサデータに基づいて、各センサ１２１の計測結果の状態、すなわち当該計測結果の示す設備Ｘの状態を確認する。そして、管理装置１０１は、各センサ１２１の計測結果に状態に基づく画面を表示装置１３１に表示する制御を行う。なお、管理装置１０１および表示装置１３１は、一体であってもよい。
【００４０】
［管理装置］
管理装置１０１は、取得部１１と、記憶部１２と、抽出部１３と、処理部１４と、表示制御部１５と、入力受付部１６とを備える。処理部１４は、演算部２１と、判定部（出力部）２２とを含む。
【００４１】
記憶部１２には、管理装置１０１の管理対象であるエリアの一覧を示すエリア情報、エリアごとの設備Ｘの一覧を示す設備情報、および設備Ｘごとのセンサ１２１の一覧を示すセンサ情報が予め保存されている。
【００４２】
エリア情報は、さらに、上記各エリアの位置関係を示す。また、設備情報は、さらに、複数のエリアの各々における複数の設備Ｘの位置関係を示す。また、センサ情報は、さらに、複数の設備Ｘの各々における複数のセンサ１２１の位置関係を示す。
【００４３】
取得部１１は、各センサ１２１から送信されたセンサデータを受信し、受信したセンサデータを記憶部１２に保存する。
【００４４】
入力受付部１６は、設備Ｘの異常判定に関する設定内容等の入力を受け付ける。たとえば、入力受付部１６は、キーボードまたはマウスを介してユーザにより入力された設定内容を示す設定情報を記憶部１２に保存する。なお、ユーザは、キーボードまたはマウスの代わりに、タブレットまたはスマートフォンなどにおけるタッチパネルを介して、管理装置１０１に対する設定内容等の入力を行ってもよい。
【００４５】
抽出部１３は、記憶部１２に保存されている設定情報に基づいて、記憶部１２に保存されている複数のセンサデータの中から、設備Ｘの異常判定に用いる複数のセンサデータを抽出する。より詳細には、抽出部１３は、ユーザにより設定された監視対象範囲Ｒであって計測値に関する監視対象範囲Ｒに含まれる複数のセンサデータを含むデータ群を抽出する。ユーザは、センサ１２１ごとに監視対象範囲Ｒを設定可能である。
【００４６】
図２は、本発明の実施の形態に係る管理装置における抽出部により抽出されるデータ群の例１を示す図である。図２は、あるセンサ１２１から送信された複数のセンサデータに基づく計測結果の時系列変化を示している。図２において、縦軸は、センサ１２１である振動センサによる振動の実効値（ＲＭＳ）［ｍＧ］を示し、横軸は、日にちを示す。
【００４７】
図２を参照して、ユーザが、あるセンサ１２１の監視対象範囲Ｒとして、０〜２００までの計測値の範囲を設定したとする。この場合、抽出部１３は、記憶部１２に保存されている複数のセンサデータのうち、当該センサ１２１から送信されたセンサデータであって、監視対象範囲Ｒに含まれる計測結果を示す複数のセンサデータ（以下、「範囲内データ」とも称する。）を抽出する。そして、抽出部１３は、抽出した複数の範囲内データを含むデータ群を処理部１４へ出力する。
【００４８】
これにより、抽出部１３は、当該センサ１２１から送信されたセンサデータのうち、範囲内データに含まれないセンサデータ（以下、「範囲外データ」とも称する。）が除外されたデータ群を抽出する。
【００４９】
なお、抽出部１３は、範囲外データについて設定された方法の処理を行い、範囲内データとともに抽出する構成であってもよい。
【００５０】
たとえば、ユーザが、あるセンサ１２１について、範囲外データの示す計測結果をゼロに変更する方法を予め設定したとする。この場合、抽出部１３は、設定された方法に従い各範囲外データの示す計測結果を変更する処理を行い、範囲内データに範囲外データの処理結果を加えたデータ群を抽出する。
【００５１】
また、たとえば、ユーザが、あるセンサ１２１について、監視対象範囲Ｒの上限値より大きい計測結果を当該上限値に変更し、監視対象範囲Ｒの下限値未満の計測結果を当該下限値に変更する方法を予め設定したとする。この場合、抽出部１３は、設定された方法に従い各範囲外データの示す計測結果を変更する処理を行い、範囲内データに範囲外データの処理結果を加えたデータ群を抽出する。
【００５２】
図３は、本発明の実施の形態に係る管理装置における抽出部により抽出されるデータ群の例２を示す図である。図３は、あるセンサ１２１から送信された複数のセンサデータに基づく計測結果の時系列変化を示している。図３において、縦軸は、センサ１２１である振動センサによる振動の実効値（ＲＭＳ）［ｍＧ］を示し、横軸は、日にちを示す。
【００５３】
図３を参照して、監視対象範囲Ｒは、期間に関する範囲であってもよい。たとえば、ユーザは、センサ１２１ごとに、期間に関する監視対象範囲Ｒを設定可能である。
【００５４】
具体的には、ユーザが、あるセンサ１２１の監視対象範囲Ｒとして、２０１７年１０月２６日〜２０１７年１２月７日の期間を設定したとする。この場合、抽出部１３は、記憶部１２に保存されている複数のセンサデータの中から、当該センサ１２１から送信されたセンサデータであって、設定された計測値の範囲に含まれ、かつ設定された期間に含まれる計測結果を示す複数のセンサデータを範囲内データとして抽出する。そして、抽出部１３は、抽出した複数の範囲内データを含むデータ群を処理部１４へ出力する。
【００５５】
図４は、本発明の実施の形態に係る管理装置における抽出部により抽出されるデータ群の例３を示す図である。図４は、あるセンサ１２１から送信された複数のセンサデータに基づく計測結果の時系列変化を示している。図４において、縦軸は、センサ１２１である振動センサによる振動の実効値（ＲＭＳ）［ｍＧ］を示し、横軸は、日にちを示す。
【００５６】
図４を参照して、ユーザは、あるセンサ１２１の監視対象範囲Ｒとして、連続した期間に限らず、断続的な期間を設定してもよい。
【００５７】
具体的には、ユーザが、あるセンサ１２１の監視対象範囲Ｒとして周期的な期間、たとえば毎週月曜日を設定したとする。この場合、抽出部１３は、記憶部１２に保存されている複数のセンサデータの中から、当該センサ１２１から送信されたセンサデータであって、毎週月曜日における計測結果を示す複数のセンサデータを範囲内データとして抽出する。そして、抽出部１３は、抽出した複数の範囲内データを含むデータ群を処理部１４へ出力する。
【００５８】
抽出部１３は、上記のようなデータ群の抽出、および抽出したデータ群の処理部１４への出力を、センサ１２１ごとに行う。
【００５９】
処理部１４における演算部２１は、抽出部１３から出力されたデータ群を受けて、当該データ群の統計処理を行う。データ群の統計処理の方法は、たとえばセンサ１２１ごとにユーザにより予め設定される。たとえば、演算部２１は、統計処理として、データ群に含まれる複数のセンサデータに対する平均化処理を行う。
【００６０】
図５は、本発明の実施の形態に係る管理装置における演算部による平均化処理の結果の一例を示す図である。図５は、図２に示す監視対象範囲Ｒに含まれる複数のセンサデータに対する平均化処理により得られた結果を示している。
【００６１】
図５を参照して、演算部２１は、ユーザにより設定された統計処理の方法に従って、監視対象範囲Ｒとして設定された期間を６０分間隔で分割し、分割期間ごとに、当該分割期間における計測結果の平均値を算出する。
【００６２】
これにより、演算部２１は、図５に示すような、センサ１２１の計測結果の６０分ごとの時系列変化を示すグラフを統計処理の結果として得ることができる。そして、演算部２１は、統計処理の結果を示す処理結果情報を判定部２２へ出力する。
【００６３】
なお、演算部２１は、複数のセンサデータに対する平均化処理において、分割期間ごとの平均値を算出する代わりに、たとえば、所定数のセンサデータごとに各計測結果の平均値を算出してもよい。
【００６４】
すなわち、演算部２１は、監視対象範囲Ｒとして設定された期間における計測タイミングの複数のセンサデータを、計測タイミングの早いセンサデータから順に、設定された所定数ずつの組に分割し、組ごとに、当該所定数のセンサデータの各々の示す計測結果の平均値を算出してもよい。
【００６５】
また、演算部２１は、複数のセンサデータに対する平均化処理を統計処理として行う構成に限らない。たとえば、演算部２１は、統計処理として、分割期間ごとに、分割期間における計測結果の、最大値、最小値、当該最大値と当該最小値との平均値、中央値または最頻値を算出してもよい。
【００６６】
演算部２１は、上記のような統計処理および処理結果情報の判定部２２への出力を、センサ１２１ごとに行う。このように、演算部２１がデータ群の統計処理を行う構成により、データ群に含まれる複数のセンサデータのばらつきを抑え、長期的な傾向を把握しやすくすることができる。なお、演算部２１は、所定の統計処理の方法に従って、１または複数の範囲外データに対する統計処理を行う構成であってもよい。
【００６７】
判定部２２は、演算部２１から出力された処理結果情報を受けて、当該処理結果情報に基づいて、統計処理の結果が異常判定の判定条件を満たすか否かを判断する。
【００６８】
具体的には、判定部２２は、図５に示すように、統計処理により得られた複数の平均値のうちの少なくともいずれか１つが警告上限値Ｗ１から警告下限値Ｗ２の範囲に含まれない場合、対応するセンサ１２１の計測結果が第１の判定条件を満たすと判定する。
【００６９】
また、判定部２２は、統計処理により得られた複数の平均値が、いずれも警告上限値Ｗ１から警告下限値Ｗ２の範囲に含まれ、これら複数の平均値のうちの少なくともいずれか１つが注意上限値Ａ１から注意下限値Ａ２の範囲に含まれない場合、対応するセンサ１２１の計測結果が第２の判定条件を満たすと判定する。
【００７０】
警告上限値Ｗ１、警告下限値Ｗ２、注意上限値Ａ１および注意下限値Ａ２は、たとえばセンサ１２１ごとにユーザにより予め設定される。
【００７１】
そして、判定部２２は、センサ１２１の計測結果が第１の判定条件または第２の判定条件を満たす場合、所定の出力、たとえば情報の表示処理を行う。より詳細には、判定部２２は、第１の判定条件を満たす計測結果に対応するセンサ１２１（以下、単に「第１の判定条件を満たすセンサ１２１」と称する。）、および第２の判定条件を満たす計測結果に対応するセンサ１２１（以下、単に「第２の判定条件を満たすセンサ１２１」と称する。）を示す判定結果情報を表示制御部１５へ出力する。また、判定部２２は、判定結果情報を記憶部１２に保存する。
【００７２】
表示制御部１５は、判定部２２から出力された判定結果情報を受けて、当該判定結果情報に基づいて、複数のセンサ１２１の計測結果の状態、すなわち当該計測結果の示す設備Ｘの状態に応じた画面を表示装置１３１に表示する制御を行う。たとえば、表示制御部１５は、第１の判定条件または第２の判定条件を満たすセンサ１２１を認識可能な画面を表示する制御を行う。
【００７３】
なお、判定部２２は、上記所定の出力として、判定結果情報を図示しない出力部へ出力してもよい。この場合、出力部は、判定部２２から出力された判定結果情報を受けて、当該判定結果情報に基づいて、たとえば、第１の判定結果または第２の判定結果を満たすセンサ１２１を、メール等を用いてユーザに通知する。
【００７４】
＜表示画面の具体例＞
図６は、本発明の実施の形態に係る管理システムにおける表示装置に表示される画面の遷移の一例を示す図である。
【００７５】
図１および図６を参照して、入力受付部１６は、自己の管理装置１０１が起動し、たとえばユーザによる所定の操作が行われると、ユーザによる操作内容を示す操作情報を表示制御部１５へ出力する。
【００７６】
表示制御部１５は、入力受付部１６から出力された操作情報を受けて、当該操作情報に基づいて、表示装置１３１に画面を表示する制御を行う。たとえば、表示制御部１５は、記憶部１２に保存されているエリア情報に基づいて、自己の管理装置１０１の管理対象であるエリアの一覧、および各エリアの状態を示すエリア画面Ｇ１を表示装置１３１に表示する制御を行う。
【００７７】
また、表示制御部１５は、表示装置１３１にエリア画面Ｇ１が表示されている状態において、ユーザによりエリア画面Ｇ１においてエリアの状態に対する所定の操作が行われた場合、当該エリアに設置された設備Ｘの一覧、および各設備Ｘの状態を示す設備画面Ｇ２を表示する制御を行う。
【００７８】
また、表示制御部１５は、表示装置１３１に設備画面Ｇ２が表示されている状態において、ユーザにより設備画面Ｇ２において設備Ｘの状態に対する所定の操作が行われた場合、記憶部１２に保存されているセンサ情報に基づいて、当該設備Ｘにおけるセンサ１２１の一覧、および各センサ１２１の計測結果の状態を示すセンサ画面Ｇ３を表示装置１３１に表示する制御を行う。
【００７９】
また、表示制御部１５は、表示装置１３１にセンサ画面Ｇ３が表示されている状態において、ユーザによりセンサ画面Ｇ３においてセンサ１２１の計測結果の状態に対する所定の操作が行われた場合、記憶部１２に保存されている複数のセンサデータに基づいて、当該センサ１２１による計測結果の時系列変化を示すグラフ表示画面Ｇ４を表示装置１３１に表示する制御を行う。
【００８０】
また、表示制御部１５は、表示装置１３１にグラフ表示画面Ｇ４が表示されている状態において、ユーザによりグラフ表示画面Ｇ４において所定の操作が行われると、監視対象範囲Ｒの設定を受け付ける範囲設定画面Ｇ５を表示装置１３１に表示する制御を行う。
【００８１】
また、表示制御部１５は、表示装置１３１に範囲設定画面Ｇ５が表示されている状態において、ユーザにより範囲設定画面Ｇ５において所定の操作が行われた場合、統計処理の処理方法の設定、および異常判定の判定条件の設定を受け付ける閾値設定画面Ｇ６を表示装置１３１に表示する制御を行う。
【００８２】
なお、表示制御部１５は、ユーザによりセンサ画面Ｇ３において所定の操作が行われた場合、範囲設定画面Ｇ５または閾値設定画面Ｇ６を表示装置１３１に表示する制御を行ってもよい。
【００８３】
また、エリア画面Ｇ１、設備画面Ｇ２、センサ画面Ｇ３、グラフ表示画面Ｇ４、範囲設定画面Ｇ５および閾値設定画面Ｇ６のうちのいずれか２つ以上の内容が同一の画面に含まれてもよい。また、表示制御部１５は、エリア画面Ｇ１、設備画面Ｇ２、センサ画面Ｇ３およびグラフ表示画面Ｇ４のうちの少なくともいずれか１つについては、表示する制御を行わない構成であってもよい。
【００８４】
［エリア画面Ｇ１］
図７は、本発明の実施の形態に係る管理システムにおける表示装置に表示されるエリア画面の一例を示す図である。
【００８５】
図７を参照して、表示制御部１５は、記憶部１２に保存されているエリア情報に基づいて、エリア画面Ｇ１を表示する制御を行う。エリア画面Ｇ１には、たとえば、複数のエリア、各エリアのエリア名Ｎ１、および各エリアの状態を示すアイコンＩｃ１が含まれている。エリアの状態とは、当該エリアに含まれる各センサ１２１の計測結果の状態に基づく状態である。図７では、アイコンＩｃ１として、アイコンＩｃ１ａ，Ｉｃ１ｂ，Ｉｃ１ｃが示されている。また、図７では、エリア名Ｎ１として、エリア名Ｎ１ａ，Ｎ１ｂ，Ｎ１ｃが示されている。
【００８６】
より詳細には、表示制御部１５は、たとえば、各センサ１２１の計測結果の状態の種類に関する所定の優先度に応じて、各設備Ｘの状態を決定する。ここでは、第１の判定条件を満たす状態の方が、第２の判定条件を満たす状態よりも優先度が高いとする。また、第２の判定条件を満たす状態の方が、第２の判定条件を満たさない状態よりも優先度が高いとする。
【００８７】
この場合、たとえば、表示制御部１５は、設備Ｘごとに、第１の判定条件を満たすセンサ１２１の有無、および第２の判定条件を満たすセンサ１２１の有無を確認する。そして、表示制御部１５は、第１の判定条件を満たすセンサ１２１が１つ以上存在する設備Ｘは、異常が生じている状態であると決定する。
【００８８】
また、表示制御部１５は、第１の判定条件を満たすセンサ１２１が存在せず、第２の判定条件を満たすセンサ１２１が１つ以上存在する設備Ｘは、異常が生じる可能性が高い状態であると決定する。また、表示制御部１５は、第１の判定条件を満たすセンサ１２１、および第２の判定条件を満たすセンサ１２１のいずれも存在しない設備Ｘは、正常な状態であると決定する。
【００８９】
また、表示制御部１５は、たとえば、決定した各設備Ｘの状態の種類に関する所定の優先度に応じて、各エリアの状態を決定する。ここでは、異常が生じている状態の方が、異常が生じる可能性が高い状態よりも優先度が高いとする。また、異常が生じる可能性が高い状態の方が、正常な状態よりも優先度が高いとする。
【００９０】
この場合、たとえば、表示制御部１５は、異常が生じている設備Ｘが１つ以上存在するエリアは、異常が生じている状態であると決定する。また、表示制御部１５は、異常が生じている設備Ｘが存在せず、異常が生じる可能性が高い状態である設備Ｘが１つ以上存在するエリアは、異常が生じる可能性が高い状態であると決定する。また、表示制御部１５は、異常が生じている設備Ｘ、および異常が生じる可能性が高い状態である設備Ｘのいずれも存在しないエリアは、正常な状態であると決定する。
【００９１】
また、表示制御部１５は、たとえば、決定した各エリアの状態の種類に応じて、対応のアイコンＩｃ１を異なる態様で表示する制御を行う。
【００９２】
具体的には、表示制御部１５は、異常が生じている状態である「第２エリア」については、対応のアイコンＩｃ１ａを赤色で点灯させる制御を行う。また、表示制御部１５は、異常が生じる可能性が高い状態である「第１エリア」については、対応のアイコンＩｃ１ｂを黄色で点灯させる制御を行う。また、表示制御部１５は、正常な状態である「第３エリア」については、対応のアイコンＩｃ１ｃを青色で点灯させる制御を行う。
【００９３】
なお、図７では、赤色で点灯しているアイコンＩｃ１ａには右斜めのハッチングを施し、黄色で点灯しているアイコンＩｃ１ｂには横線のハッチングを施し、青色で点灯しているアイコンＩｃ１ｃにはハッチングを施していない。
【００９４】
また、表示制御部１５は、たとえば、ユーザがマウスまたはキーボード等を操作することにより、エリア画面Ｇ１においてポインタＰをアイコンＩｃ１またはエリア名Ｎ１に重なる位置に移動させた場合、記憶部１２に保存されている複数の判定結果情報に基づいて、対応のエリアに設置された設備Ｘに関する説明欄Ｓ１をポップアップ表示する制御を行う。
【００９５】
具体的には、表示制御部１５は、ユーザがアイコンＩｃ１ａに重なる位置にポインタＰを移動させた場合、アイコンＩｃ１ａに対応する「第２エリア」に設置された複数の設備Ｘのうち、各設備Ｘの状態の種類に関する上記優先度に応じて選択された１つの設備Ｘに関する説明欄Ｓ１を表示する制御を行う。
【００９６】
たとえば、説明欄Ｓ１には、「第２エリア」に設置された設備Ｘであって、異常が生じている状態である設備Ｘの設備名である「巻取機」、および当該設備Ｘにおけるセンサ１２１が第１の判定条件を満たすと判定された日時が含まれている。
【００９７】
なお、表示制御部１５は、ユーザにより選択されたエリアにおいて、異常が生じている状態である複数の設備Ｘが存在する場合、各設備Ｘにおけるセンサ１２１のうち、第１の判定条件を満たすと判定された日時が最新であるセンサ１２１を選択する。そして、表示制御部１５は、選択したセンサ１２１が設けられた設備Ｘの名称、および当該センサ１２１が第１の判定条件を満たすと判定された日時を示す説明欄Ｓ１を表示する制御を行う。
【００９８】
また、ユーザにより選択されたエリアにおいて、ある設備Ｘにおけるセンサ１２１が第１の判定条件を満たしており、他の設備Ｘにおけるセンサ１２１が第２の判定条件を満たしているとする。すなわち、ある設備Ｘは、異常が生じている状態であり、他の設備Ｘは、異常が生じる可能性が高い状態であるとする。この場合、表示制御部１５は、第１の判定条件を満たすセンサ１２１が設けられた設備Ｘ、すなわち異常が生じている設備Ｘを優先的に選択し、当該設備Ｘの名称、および当該センサ１２１が第１の判定条件を満たすと判定された日時を示す説明欄Ｓ１を表示する制御を行う。
【００９９】
また、たとえば、ユーザが、エリア画面Ｇ１においてポインタＰがエリア名Ｎ１またはアイコンＩｃ１に重なっている状態において、上記所定の操作として、キーボードまたはマウス等の操作により当該エリア名Ｎ１または当該アイコンＩｃ１を選択する操作を行ったとする。この場合、表示制御部１５は、ユーザにより選択されたエリア名Ｎ１またはアイコンＩｃ１に対応するエリア、および当該エリアに設置された設備Ｘの一覧を示す設備画面Ｇ２を表示装置１３１に表示する制御を行う。
【０１００】
［設備画面Ｇ２］
図８は、本発明の実施の形態に係る管理システムにおける表示装置に表示される設備画面の一例を示す図である。
【０１０１】
図８を参照して、ここでは、ユーザが図７に示すエリア画面Ｇ１において「第２エリア」を選択する操作を行ったとする。この場合、表示制御部１５は、記憶部１２に保存されている設備情報に基づいて、「第２エリア」、および「第２エリア」に設置された複数の設備Ｘの位置関係、各設備Ｘの設備名Ｎ２、および各設備Ｘの状態を示すアイコンＩｃ２を含む設備画面Ｇ２を表示装置１３１に表示する制御を行う。図８では、アイコンＩｃ２として、アイコンＩｃ２ａ，Ｉｃ２ｂ，Ｉｃ２ｃが示されている。また、図８では、設備名Ｎ２として、設備名Ｎ２ａ，Ｎ２ｂ，Ｎ２ｃが示されている。
【０１０２】
より詳細には、表示制御部１５は、上述のとおり決定した各設備Ｘの状態に応じて、対応のアイコンＩｃ２を異なる態様で表示する制御を行う。
【０１０３】
具体的には、表示制御部１５は、異常が生じている状態である設備Ｘ「巻取機」については、対応のアイコンＩｃ２ａを赤色で点灯させる制御を行う。また、表示制御部１５は、異常が生じる可能性が高い状態である設備Ｘ「圧延機」については、対応のアイコンＩｃ２ｂを黄色で点灯させる制御を行う。また、表示制御部１５は、正常な状態である設備Ｘ「鋳造機」については、対応のアイコンＩｃ２ｃを青色で点灯させる制御を行う。
【０１０４】
なお、図８では、赤色で点灯しているアイコンＩｃ２ａには右斜めのハッチングを施し、黄色で点灯しているアイコンＩｃ２ｂには横線のハッチングを施し、青色で点灯しているアイコンＩｃ２ｃにはハッチングを施していない。
【０１０５】
また、表示制御部１５は、たとえば、ユーザがマウスまたはキーボード等を操作することにより、設備画面Ｇ２においてポインタＰをアイコンＩｃ２または設備名Ｎ２に重なる位置に移動させた場合、記憶部１２に保存されている複数の判定結果情報に基づいて、対応する設備Ｘにおけるセンサ１２１に関する説明欄Ｓ２をポップアップ表示する制御を行う。
【０１０６】
具体的には、表示制御部１５は、ユーザがアイコンＩｃ２ａに重なる位置にポインタＰを移動させた場合、ポインタＰが重なるアイコンＩｃ２ａに対応する「巻取機」におけるセンサ１２１のうち、センサ１２１の計測結果の状態の種類に関する上記優先度に応じて選択された１つのセンサ１２１に関する説明欄Ｓ２を表示する制御を行う。
【０１０７】
説明欄Ｓ２には、たとえば、巻取機におけるセンサ１２１であって、第１の判定条件を満たすセンサ１２１のセンサ名である「振動センサ西」、および当該センサ１２１が第１の判定条件を満たすと判定された日時が含まれている。
【０１０８】
なお、表示制御部１５は、ユーザにより選択された設備Ｘにおいて、第１の判定条件を満たす複数のセンサ１２１が存在する場合、これら複数のセンサ１２１のうち、第１の判定条件を満たすと判定された日時が最新であるセンサ１２１を選択する。そして、表示制御部１５は、選択したセンサ１２１のセンサ名、および当該センサ１２１が第１の判定条件を満たすと判定された日時を示す説明欄Ｓ２を表示する制御を行う。
【０１０９】
また、表示制御部１５は、ユーザにより選択された設備Ｘにおいて、あるセンサ１２１が第１の判定条件を満たし、他のセンサ１２１が第２の判定条件を満たす場合、第１の判定条件を満たすセンサ１２１を優先的に選択し、当該センサ１２１のセンサ名、および当該センサ１２１が第１の判定条件を満たすと判定された日時を示す説明欄Ｓ２を表示する制御を行う。
【０１１０】
また、表示制御部１５は、ユーザにより設備画面Ｇ２において設備Ｘの状態に対する所定の操作が行われた場合、センサ画面Ｇ３を表示する制御を行う。
【０１１１】
具体的には、ユーザが、設備画面Ｇ２においてポインタＰが設備名Ｎ２またはアイコンＩｃ２に重なっている状態において、上記所定の操作として、キーボードまたはマウス等の操作により当該設備名Ｎ２または当該アイコンＩｃ２を選択する操作を行ったとする。この場合、表示制御部１５は、ユーザにより選択された設備名Ｎ２またはアイコンＩｃ２に対応する設備Ｘにおけるセンサ１２１の一覧を示すセンサ画面Ｇ３を表示装置１３１に表示する制御を行う。
【０１１２】
また、表示制御部１５は、設備画面Ｇ２において所定の操作が行われた場合、エリア画面Ｇ１を表示する制御を行う。
【０１１３】
具体的には、設備画面Ｇ２には、たとえば、「エリア一覧」ボタンＢ１１および「第２エリア」ボタンＢ１２が含まれている。表示制御部１５は、ユーザが設備画面Ｇ２における「エリア一覧」ボタンＢ１１を選択する操作を行った場合、エリア画面Ｇ１を表示装置１３１に表示する制御を行う。
【０１１４】
［センサ画面Ｇ３］
図９は、本発明の実施の形態に係る管理システムにおける表示装置に表示されるセンサ画面の一例を示す図である。
【０１１５】
図９を参照して、ここでは、ユーザが図８に示す設備画面Ｇ２において「巻取機」を選択する操作を行ったとする。この場合、表示制御部１５は、記憶部１２に保存されているセンサ情報に基づいて、「巻取機」、および「巻取機」における複数のセンサ１２１、各センサ１２１のセンサ名Ｎ３、および各センサ１２１の計測結果の状態を示すアイコンＩｃ３を含むセンサ画面Ｇ３を表示する制御を行う。図９では、アイコンＩｃ３として、アイコンＩｃ３ａ，Ｉｃ３ｂが示されている。また、図９では、センサ名Ｎ３として、センサ名Ｎ３ａ，Ｎ３ｂが示されている。
【０１１６】
より詳細には、表示制御部１５は、判定部２２から受けた判定結果情報に基づいて、「巻取機」における各センサ１２１の計測結果の状態を確認し、確認した状態の種類に応じて、対応のアイコンＩｃ３を異なる態様で表示する制御を行う。
【０１１７】
具体的には、表示制御部１５は、センサ名Ｎ３ａ「振動センサ西」のセンサ１２１が第１の判定条件を満たす場合、当該センサ１２１に対応するアイコンＩｃ３ａを赤色で点灯させる制御を行う。また、表示制御部１５は、センサ名Ｎ３ｂ「振動センサ上」のセンサ１２１が第１の判定条件および第２の判定条件のいずれも満たさない場合、当該センサ１２１に対応するアイコンＩｃ３ｂを青色で点灯させる制御を行う。
【０１１８】
なお、図９では、赤色で点灯しているアイコンＩｃ３ａには右斜めのハッチングを施し、青色で点灯しているアイコンＩｃ３ｂにはハッチングを施していない。
【０１１９】
また、表示制御部１５は、たとえば、ユーザがマウスまたはキーボード等を操作することにより、センサ画面Ｇ３においてポインタＰをアイコンＩｃ３またはセンサ名Ｎ３に重なる位置に移動させた場合、判定部２２から受けた判定結果情報に基づいて、対応のセンサ１２１に関する説明欄Ｓ３をポップアップ表示する制御を行う。
【０１２０】
具体的には、表示制御部１５は、ユーザがアイコンＩｃ３ａに重なる位置にポインタＰを移動させた場合、アイコンＩｃ３ａに対応する「振動センサ西」のセンサ１２１による複数のセンサデータに対する統計処理により得られた複数の値のうちの少なくともいずれか１つが警告上限値Ｗ１より大きい旨、および当該センサ１２１が第１の判定条件を満たすと判定された日時を示す説明欄Ｓ３を表示する制御を行う。
【０１２１】
なお、表示制御部１５は、たとえば、当該センサ１２１が第１の判定条件を満たすと複数回判定された場合、第１の判定条件を満たすと判定された最新の日時を示す説明欄Ｓ３を表示する制御を行う。
【０１２２】
また、たとえば、ユーザが、センサ画面Ｇ３においてポインタＰがセンサ名Ｎ３またはアイコンＩｃ３に重なっている状態において、上記所定の操作として、キーボードまたはマウス等の操作により当該センサ名Ｎ３または当該アイコンＩｃ３を選択する操作を行ったとする。この場合、表示制御部１５は、ユーザにより選択されたセンサ名Ｎ３またはアイコンＩｃ３に対応するセンサ１２１の計測結果の時系列変化を示すグラフ表示画面Ｇ４を表示装置１３１に表示する制御を行う。
【０１２３】
また、表示制御部１５は、センサ画面Ｇ３において所定の操作が行われた場合、設備画面Ｇ２またはエリア画面Ｇ１を表示装置１３１に表示する制御を行う。
【０１２４】
具体的には、センサ画面Ｇ３には、たとえば、「エリア一覧」ボタンＢ１１、「第２エリア」ボタンＢ１２および「巻取機」ボタンＢ１３が含まれている。表示制御部１５は、ユーザが「第２エリア」ボタンＢ１２を選択する操作を行った場合、設備画面Ｇ２を表示する制御を行う。また、表示制御部１５は、ユーザが「エリア一覧」ボタンＢ１１を選択する操作を行った場合、エリア画面Ｇ１を表示する制御を行う。
【０１２５】
［グラフ表示画面Ｇ４］
図１０は、本発明の実施の形態に係る管理システムにおける表示装置に表示されるグラフ表示画面の一例を示す図である。
【０１２６】
図１０を参照して、ここでは、ユーザがセンサ画面Ｇ３における「振動センサ西」を選択する操作を行ったとする。この場合、表示制御部１５は、「振動センサ西」による計測結果の時系列変化を示すグラフを含むグラフ表示画面Ｇ４を表示する制御を行う。
【０１２７】
このとき、表示制御部１５は、ユーザにより選択されたセンサ１２１が第１の判定条件を満たす場合、グラフ表示画面Ｇ４におけるグラフを点滅させるなど、センサ１２１の計測結果の状態に応じた態様で表示する制御を行う。
【０１２８】
また、表示制御部１５は、グラフ表示画面Ｇ４において所定の操作が行われた場合、センサ画面Ｇ３、設備画面Ｇ２またはエリア画面Ｇ１を表示する制御を行う。
【０１２９】
具体的には、グラフ表示画面Ｇ４には、たとえば、「エリア一覧」ボタンＢ１１、「第２エリア」ボタンＢ１２、「巻取機」ボタンＢ１３および「振動センサ西」ボタンＢ１４が含まれている。
【０１３０】
表示制御部１５は、ユーザが「巻取機」ボタンＢ１３を選択する操作を行った場合、センサ画面Ｇ３を表示装置１３１に表示する制御を行う。また、表示制御部１５は、ユーザが「第２エリア」ボタンＢ１２を選択する操作を行った場合、設備画面Ｇ２を表示する制御を行う。また、表示制御部１５は、ユーザが「エリア一覧」ボタンＢ１１を選択する操作を行った場合、エリア画面Ｇ１を表示する制御を行う。
【０１３１】
また、グラフ表示画面Ｇ４には、「監視対象範囲設定」ボタンＢ２１が含まれている。表示制御部１５は、ユーザが「監視対象範囲設定」ボタンＢ２１を選択する操作を行った場合、範囲設定画面Ｇ５を表示装置１３１に表示する制御を行う。
【０１３２】
［範囲設定画面Ｇ５］
図１１は、本発明の実施の形態に係る管理システムにおける表示装置に表示される範囲設定画面の一例を示す図である。
【０１３３】
図１１を参照して、範囲設定画面Ｇ５には、たとえば、監視対象範囲Ｒとして計測値の上限値および下限値をそれぞれ設定するか否かを選択するためのチェックボックスＣｈ１，Ｃｈ２、当該上限値を設定する場合における上限値の入力欄Ｉｐ１、ならびに当該下限値を設定する場合における下限値の入力欄Ｉｐ２が含まれている。
【０１３４】
たとえば、ユーザは、計測値の上限値を設定する場合、チェックボックスＣｈ１にチェックを入れ、入力欄Ｉｐ１に任意の値を入力する操作を行う。また、ユーザは、計測値の下限値を設定する場合、チェックボックスＣｈ２にチェックを入れ、入力欄Ｉｐ２に任意の値を入力する操作を行う。
【０１３５】
また、範囲設定画面Ｇ５には、監視対象範囲Ｒとしての期間の設定方法を指定するためのラジオボタンＲｄ１，Ｒｄ２、期間の開始日時の入力欄Ｉｐ３、期間の終了日時の入力欄Ｉｐ４、ならびに周期的な期間を設定する場合における、曜日の入力欄Ｉｐ５、開始時刻の入力欄Ｉｐ６、および終了時刻の入力欄Ｉｐ７が含まれている。
【０１３６】
ユーザは、センサ１２１ごとに、範囲設定画面Ｇ５に含まれるセンサ１２１の計測結果の時系列変化を示すグラフを見ながら、センサ１２１による計測対象および当該センサ１２１が設けられた設備Ｘの稼働状況等に応じて、監視対象範囲Ｒを任意に設定することができる。
【０１３７】
また、ユーザは、入力欄Ｉｐ１〜Ｉｐ７への入力を行う代わりに、センサ１２１の計測結果の時系列変化を示すグラフにおいて任意の範囲をドラッグする操作を行うことにより、監視対象範囲Ｒを設定してもよい。たとえば、ユーザは、マウスなどのポインティングデバイスを用いて、ポインタＰが任意の矩形範囲の角に位置する状態で左クリックボタンを押下し、左クリックボタンを押下した状態を維持しながら当該矩形範囲の上記角に対して対角線上にある他の角にポインタＰを移動させて左クリックボタンを離す等の操作を行うことにより、監視対象範囲Ｒを設定することができる。
【０１３８】
なお、ユーザは、タッチパネルを介して監視対象範囲Ｒを指定する場合、たとえば、タッチパネル上で任意の矩形範囲の角をタッチし、タッチパネルにタッチした状態を維持しながら当該矩形範囲の上記角に対して対角線上にある他の角に指を移動させてタッチパネルから指を離す等の操作を行うことにより、監視対象範囲Ｒを設定することができる。
【０１３９】
また、ユーザは、監視対象範囲Ｒとしての計測値の範囲を設定する場合、上限値および下限値のいずれか一方を設定してもよい。
【０１４０】
また、表示制御部１５は、範囲設定画面Ｇ５において所定の操作が行われた場合、グラフ表示画面Ｇ４を表示する制御を行う。具体的には、範囲設定画面Ｇ５には、「エリア一覧」ボタンＢ１１、「第２エリア」ボタンＢ１２、「巻取機」ボタンＢ１３および「振動センサ西」ボタンＢ１４が含まれている。表示制御部１５は、ユーザが「振動センサ西」ボタンＢ１４を選択する操作を行った場合、グラフ表示画面Ｇ４を表示装置１３１に表示する制御を行う。
【０１４１】
図１２は、本発明の実施の形態に係る表示装置に表示される、監視対象範囲が設定された後のグラフ表示画面の一例を示す図である。
【０１４２】
図１２を参照して、ここでは、ユーザが、監視対象範囲Ｒとして、計測値の範囲および連続する期間を設定したとする。この場合、表示制御部１５は、グラフ表示画面Ｇ４において、たとえば、計測結果の時系列変化を示すグラフ上に監視対象範囲Ｒを示す枠を表示させる制御を行う。
【０１４３】
図１３は、本発明の実施の形態に係る表示装置に表示される、監視対象範囲が設定された後のグラフ表示画面の一例を示す図である。
【０１４４】
図１３を参照して、ここでは、ユーザが、監視対象範囲Ｒとして、計測値の範囲および周期的な期間を設定したとする。この場合、表示制御部１５は、グラフ表示画面Ｇ４において、たとえば、計測結果の時系列変化を示すグラフ上に複数の監視対象範囲Ｒをそれぞれ示す複数の枠を表示させる制御を行う。
【０１４５】
なお、再び図１１を参照して、ユーザは、ラジオボタンＲａ１の内容およびラジオボタンＲａ２の内容の両方を選択可能であってもよい。
【０１４６】
たとえば、ユーザが、上記両方の内容を選択する操作を行い、入力欄Ｉｐ３に「２０１７年１０月１６日」を入力し、入力欄Ｉｐ４に「２０１７年１２月１５日」を入力し、入力欄Ｉｐ５に「月」を入力し、入力欄Ｉｐ６に「９：００」を入力し、入力欄Ｉｐ７に「９：３０」を入力したとする。この場合、監視対象範囲Ｒは、２０１７年１０月１６日〜２０１７年１２月１５日における毎週月曜日の９：００〜９：３０の期間となる。
【０１４７】
また、表示制御部１５は、範囲設定画面Ｇ５において所定の操作が行われた場合、閾値設定画面Ｇ６を表示する制御を行う。具体的には、範囲設定画面Ｇ５には、「監視対象範囲設定」ボタンＢ２１および「閾値設定」ボタンＢ２２が含まれている。表示制御部１５は、ユーザが「閾値設定」ボタンＢ２２を選択する操作を行った場合、閾値設定画面Ｇ６を表示装置１３１に表示する制御を行う。
【０１４８】
［閾値設定画面Ｇ６］
（統計処理に関する閾値の設定）
図１４は、本発明の実施の形態に係る管理システムにおける表示装置に表示される閾値設定画面の一例を示す図である。
【０１４９】
図１４を参照して、閾値設定画面Ｇ６には、たとえば、平均化処理の処理方法を指定するためのラジオボタンＲａ３，Ｒａ４、ならびに平均化処理に用いる、時間の入力欄Ｉｐ１１およびデータ数の入力欄Ｉｐ１２が含まれている。
【０１５０】
たとえば、ユーザは、ラジオボタンＲａ３を選択し、入力欄Ｉｐ１１に「６０」を入力したとする。この場合、図１に示す演算部２１は、センサデータの平均化処理において、監視対象範囲Ｒを６０分間隔で分割し、分割期間ごとに複数のセンサデータの各々の示す計測結果の平均値を算出する。
【０１５１】
また、たとえば、ユーザは、ラジオボタンＲａ４を選択し、入力欄Ｉｐ１２に「５０」を入力したとする。この場合、演算部２１は、センサデータの平均化処理において、監視対象範囲Ｒにおいて取得された複数のセンサデータを、計測タイミングの早いセンサデータから順に５０個ずつの組に分割し、組ごとに、５０個のセンサデータの各々の計測結果の平均値を算出する。
【０１５２】
また、閾値設定画面Ｇ６は、上述の範囲外データ、すなわち範囲内データに含まれないセンサデータの処理方法の設定を受け付けるための画面である。具体的には、閾値設定画面Ｇ６には、監視対象範囲Ｒとしての計測値の範囲に含まれない計測結果（以下、「外れ値」と称する。）に関する設定を行うためのラジオボタンＲａ５〜Ｒａ７が含まれている。
【０１５３】
演算部２１は、ユーザがラジオボタンＲａ５を選択する操作を行った場合、平均化処理において、外れ値をゼロに変更する。また、演算部２１は、ユーザがラジオボタンＲａ６を選択する操作を行った場合、平均化処理において、計測値の範囲の上限値より大きい計測値は当該上限値に変更し、当該範囲の下限値未満の計測値は当該下限値に変更する。また、演算部２１は、ユーザがラジオボタンＲａ７を選択する操作を行った場合、平均化処理において、外れ値を除外する。  
【０１５４】
（判定処理に関する閾値の設定）
また、閾値設定画面Ｇ６には、判定部２２による判定処理に関する閾値を設定するためのチェックボックスであって、警告上限値Ｗ１、注意上限値Ａ１、注意下限値Ａ２および警告下限値Ｗ２をそれぞれ指定するためのチェックボックスＣｈ３〜Ｃｈ６が含まれている。
【０１５５】
また、閾値設定画面Ｇ６には、警告上限値Ｗ１、注意上限値Ａ１、注意下限値Ａ２および警告下限値Ｗ２をそれぞれ入力する入力欄Ｉｐ１３〜Ｉｐ１６が含まれている。
【０１５６】
また、閾値設定画面Ｇ６には、判定部２２が所定の出力を行う条件となる、センサ１２１の計測結果が警告上限値Ｗ１を超える回数を入力する入力欄Ｉｐ１７、センサ１２１の計測結果が注意上限値Ａ１を超える回数を入力する入力欄Ｉｐ１８が含まれている。
【０１５７】
また、閾値設定画面Ｇ６には、判定部２２が所定の出力を行う条件となる、センサ１２１の計測結果が注意下限値Ａ２を超える回数を入力する入力欄Ｉｐ１９、センサ１２１の計測結果が警告下限値Ｗ２を超える回数を入力する入力欄Ｉｐ２０が含まれている。
【０１５８】
たとえば、ユーザは、チェックボックスＣｈ３を選択し、入力欄Ｉｐ１３および入力欄Ｉｐ１７に任意の値を入力する。この場合、判定部２２は、判定処理において、入力欄Ｉｐ１３に入力された値を計測結果が超えた回数が、入力欄Ｉｐ１７に入力された回数に到達した場合、センサ１２１に異常が生じていると判定する。
【０１５９】
また、たとえば、ユーザは、チェックボックスＣｈ４を選択し、入力欄Ｉｐ１４および入力欄Ｉｐ１８に任意の値を入力する。この場合、判定部２２は、判定処理において、入力欄Ｉｐ１４に入力された値を計測結果が超えた回数が、入力欄Ｉｐ１８に入力された回数に到達した場合、センサ１２１に異常が生じる可能性が高いと判定する。
【０１６０】
また、たとえば、ユーザは、チェックボックスＣｈ５を選択し、入力欄Ｉｐ１５および入力欄Ｉｐ１９に任意の値を入力する。この場合、判定部２２は、判定処理において、入力欄Ｉｐ１５に入力された値より計測結果が小さくなった回数が、入力欄Ｉｐ１９に入力された回数に到達した場合、センサ１２１に異常が生じていると判定する。
【０１６１】
また、たとえば、ユーザは、チェックボックスＣｈ６を選択し、入力欄Ｉｐ１６および入力欄Ｉｐ２０に任意の値を入力する。この場合、判定部２２は、判定処理において、入力欄Ｉｐ１６に入力された値より計測結果が小さくなった回数が、入力欄Ｉｐ２０に入力された回数に到達した場合、センサ１２１に異常が生じる可能性が高いと判定する。
【０１６２】
なお、ユーザは、警告上限値Ｗ１、注意上限値Ａ１、注意下限値Ａ２および警告下限値Ｗ２の全部を設定してもよいし、警告上限値Ｗ１、注意上限値Ａ１、注意下限値Ａ２および警告下限値Ｗ２のうちの一部を設定してもよい。
【０１６３】
＜動作の流れ＞
管理装置１０１は、コンピュータを備え、当該コンピュータにおけるＣＰＵ等の演算処理部は、以下のフローチャートの各ステップの一部または全部を含むプログラムを図示しないメモリからそれぞれ読み出して実行する。この装置のプログラムは、外部からインストールすることができる。この装置のプログラムは、記録媒体に格納された状態で流通する。
【０１６４】
図１５は、本発明の実施の形態に係る管理装置の動作手順を定めたフローチャートである。
【０１６５】
図１５を参照して、まず、取得部１１は、各センサ１２１から送信されたセンサデータを取得し、取得した各センサデータを記憶部１２に保存する（ステップＳ１１）。
【０１６６】
次に、表示制御部１５は、たとえばユーザにより所定の操作が行われると、エリア画面Ｇ１を表示装置１３１に表示する制御を行う（ステップＳ１２）。
【０１６７】
次に、表示制御部１５は、たとえばユーザによりエリア画面Ｇ１において１つのエリアを選択する操作が行われると、当該エリアおよび当該エリアに設置された設備Ｘの一覧を示す設備画面Ｇ２を表示装置１３１に表示する制御を行う（ステップＳ１３）。
【０１６８】
次に、表示制御部１５は、たとえばユーザにより設備画面Ｇ２において１つの設備Ｘを選択する操作が行われると、当該設備Ｘおよび当該設備Ｘにおけるセンサ１２１の一覧を示すセンサ画面Ｇ３を表示装置１３１に表示する制御を行う（ステップＳ１４）。
【０１６９】
次に、表示制御部１５は、たとえばユーザによりセンサ画面Ｇ３において１つのセンサ１２１を選択する操作が行われると、記憶部１２に保存されている複数のセンサデータに基づいて、当該センサ１２１の計測結果の時系列変化を示すグラフ表示画面Ｇ４を表示装置１３１に表示する制御を行う（ステップＳ１５）。
【０１７０】
次に、表示制御部１５は、たとえばユーザによりグラフ表示画面Ｇ４において所定の操作が行われると、監視対象範囲Ｒの設定を受け付ける範囲設定画面Ｇ５を表示装置１３１に表示する制御を行う（ステップＳ１６）。
【０１７１】
次に、入力受付部１６は、ユーザによる監視対象範囲Ｒの設定内容の入力を受け付け、設定内容を示す設定情報を記憶部１２に保存する（ステップＳ１７）。
【０１７２】
次に、表示制御部１５は、たとえばユーザにより範囲設定画面Ｇ５において所定の操作が行われると、統計処理の処理方法の設定、および異常判定の判定条件の設定を受け付ける閾値設定画面Ｇ６を表示装置１３１に表示する制御を行う（ステップＳ１８）。
【０１７３】
次に、入力受付部１６は、ユーザによる統計処理の処理方法の設定内容、および異常判定の判定条件の設定内容の入力を受け付け、設定内容を示す設定情報を記憶部１２に保存する（ステップＳ１９）。
【０１７４】
次に、抽出部１３は、記憶部１２に保存されている設定情報に基づいて、複数のセンサデータの中から、監視対象範囲Ｒに含まれる範囲内データを含むデータ群の抽出を行い、抽出したデータ群を演算部２１へ出力する（ステップＳ２０）。
【０１７５】
次に、演算部２１は、抽出部１３からデータ群を受けて、記憶部１２に保存されている設定情報に基づいて、データ群に対する統計処理を行い、統計処理の結果を示す処理結果情報を判定部２２へ出力する（ステップＳ２１）。
【０１７６】
次に、判定部２２は、演算部２１から受けた処理結果情報、および記憶部１２に保存されている設定情報に基づいて、センサ１２１の計測結果が異常判定の第１の判定条件を満たすか否かを判断する（ステップＳ２２）。
【０１７７】
そして、判定部２２は、センサ１２１の計測結果が第１の判定条件を満たす場合（ステップＳ２２において「ＹＥＳ」）、所定の出力を行う。たとえば、判定部２２は、当該センサ１２１が設けられた設備Ｘに異常が生じている旨をメール等によりユーザに通知する（ステップＳ２３）。
【０１７８】
一方、判定部２２は、センサ１２１の計測結果が第１の判定条件を満たさない場合（ステップＳ２２において「ＮＯ」）、当該計測結果が第２の判定条件を満たすか否かを判断する（ステップＳ２４）。
【０１７９】
そして、判定部２２は、センサ１２１の計測結果が第２の判定条件を満たす場合（ステップＳ２４において「ＹＥＳ」）、所定の出力を行う。たとえば、判定部２２は、当該センサ１２１が設けられた設備Ｘに異常が生じる可能性が高い旨をメール等によりユーザに通知する（ステップＳ２５）。
【０１８０】
なお、図１５において、表示制御部１５による範囲設定画面Ｇ５を表示する制御（ステップＳ１６）、入力受付部１６による監視対象範囲Ｒの設定内容の入力の受け付け（ステップＳ１７）、表示制御部１５による閾値設定画面Ｇ６を表示する制御（ステップＳ１８）、ならびに入力受付部１６による、統計処理の処理方法および異常判定の判定条件の設定内容の入力の受け付け（ステップＳ１９）は、取得部１１によるセンサデータの取得（ステップＳ１１）の前であってもよい。
【０１８１】
以上のように、本発明の実施の形態に係る管理装置１０１では、生産現場において、たとえば設備保全の最適化を行うことができる。また、各設備Ｘの傾向監視の自動化により、たとえば、各センサ１２１による計測結果からノイズ等の除去を手作業により行う必要がなく、ユーザが高度の専門知識を有する必要性を低くすることができる。また、大量のセンサデータを容易に処理することができる。したがって、各種コストを削減することができる。
【０１８２】
ところで、センサの計測結果に基づいて設備の監視を行う場合、当該計測結果からノイズ等の不要な情報を除去し、より適切な監視を行うことのできる技術が求められている。
【０１８３】
これに対して、本発明の実施の形態に係る管理装置１０１では、取得部１１は、１または複数のセンサ１２１の計測結果を示すセンサデータを取得する。表示制御部１５は、計測値に関する監視対象範囲Ｒの設定を受け付ける範囲設定画面Ｇ５および異常判定の判定条件の設定を受け付ける閾値設定画面Ｇ６を表示する制御を行う。演算部２１は、取得部１１により取得されたセンサデータのうち、監視対象範囲Ｒに含まれるセンサデータである範囲内データを含むデータ群の統計処理を行う。判定部２２は、演算部２１による統計処理の結果が判定条件を満たす場合、所定の出力を行う。
【０１８４】
このように、監視対象範囲Ｒおよび異常判定の判定条件の設定を受け付ける構成により、センサ１２１の計測対象等に応じた適切な異常判定を行うことができる。また、範囲内データを含むデータ群の統計処理を行う構成により、複数のセンサデータをそのまま用いて異常判定を行う場合と比較して、計測値のばらつき等を抑えたデータ群を用いてより適切な異常判定を行うことができる。
【０１８５】
したがって、本発明の実施の形態に係る管理装置１０１では、センサ１２１の計測結果に基づく設備Ｘの監視をより適切に行うことができる。
【０１８６】
また、本発明の実施の形態に係る管理装置１０１では、表示制御部１５は、さらに、期間に関する監視対象範囲の設定を受け付ける範囲設定画面Ｇ５を表示する制御を行う。演算部２１は、取得部１１により取得されたセンサデータのうち、計測値に関する監視対象範囲Ｒに含まれ、かつ期間に関する監視対象範囲Ｒに含まれるセンサデータである範囲内データを含むデータ群の統計処理を行う。
【０１８７】
このように、計測値に関する設定に加えて、さらに、期間に関する監視対象範囲Ｒの設定を受け付ける構成により、たとえば、設備Ｘの稼働状況が期間に応じて変わる場合であっても、適切な異常判定を行うことができる。
【０１８８】
また、本発明の実施の形態に係る管理装置１０１では、範囲設定画面Ｇ５において、期間として周期的な期間を設定可能である。
【０１８９】
このような構成により、周期的に稼働状況等が変わる設備Ｘについて、適切な異常判定を行うことができる。
【０１９０】
また、本発明の実施の形態に係る管理装置１０１では、表示制御部１５は、さらに、範囲内データに含まれないセンサデータである範囲外データの処理方法の設定を受け付ける閾値設定画面Ｇ６を表示する制御を行う。そして、演算部２１は、範囲内データに、設定された処理方法による範囲外データの処理結果を加えたデータ群の統計処理を行う。
【０１９１】
このような構成により、所望の処理を行った後の範囲外データを含むデータ群を用いて、より適切な異常判定を行うことができる。
【０１９２】
また、本発明の実施の形態に係る管理装置１０１では、表示制御部１５は、さらに、設備Ｘを示すとともに設備Ｘに設置された複数のセンサ１２１の計測結果の状態を示す、センサ画面Ｇ３を表示する制御を行う。また、表示制御部１５は、センサ画面Ｇ３において、対応のセンサデータが異常判定の判定条件を満たすか否かに応じて、センサ１２１の計測結果の状態を異なる態様で表示する。また、表示制御部１５は、センサ画面Ｇ３においてセンサ１２１の計測結果の状態に対する所定の操作が行われた場合、範囲内データに関する範囲設定画面Ｇ５、および上記判定条件に関する閾値設定画面Ｇ６の少なくともいずれか一方、または範囲設定画面Ｇ５もしくは閾値設定画面Ｇ６へ遷移するためのグラフ表示画面Ｇ４を表示する。
【０１９３】
このような構成により、ユーザにおいて、センサ画面Ｇ３を確認することにより、各センサ１２１の計測結果の状態を視覚的に容易に把握することができる。また、ユーザにおいて、各センサ１２１の計測結果の状態を把握したうえで１つのセンサ１２１を任意に選択し、選択したセンサ１２１に対応する、範囲設定画面Ｇ５、閾値設定画面Ｇ６またはグラフ表示画面Ｇ４を表示させることができる。
【０１９４】
また、本発明の実施の形態に係る管理装置１０１では、表示制御部１５は、さらに、エリアを示すとともに当該エリアに設置された複数の設備Ｘの状態を示す、設備画面Ｇ２を表示する制御を行う。また、表示制御部１５は、設備Ｘにおける各センサ１２１の計測結果の状態のうち、計測結果の状態の種類に関する所定の優先度に応じて設備画面Ｇ２における設備Ｘの状態を決定する。そして、表示制御部１５は、設備画面Ｇ２において設備Ｘの状態に対する所定の操作が行われた場合、センサ画面Ｇ３を表示する。
【０１９５】
このような構成により、たとえば、設備Ｘの状態であって、ユーザに通知すべき優先度の高い種類の状態を設備画面Ｇ２に表示することができる。また、ユーザにおいて、各設備Ｘの状態を把握したうえで１つの設備Ｘを任意に選択し、選択した設備Ｘに対応するセンサ画面Ｇ３を表示させることができる。
【０１９６】
また、本発明の実施の形態に係る管理装置１０１では、表示制御部１５は、設備Ｘに設置されたセンサ１２１に関する内容をさらに示す設備画面Ｇ２を表示する制御を行う。また、表示制御部１５は、設備Ｘに設置された複数のセンサ１２１にそれぞれ対応する複数の統計処理の結果が判定条件を満たす場合、複数のセンサ１２１のうち、判定条件を満たすと判定された日時が最新である統計処理の結果に対応するセンサ１２１を選択し、選択したセンサ１２１に関する内容を示す設備画面Ｇ２を表示する制御を行う。
【０１９７】
たとえば、同一の設備Ｘに設置された第１のセンサ１２１および第２のセンサ１２１において、第１のセンサ１２１に対応する統計処理の結果が先に判定条件を満たすと判定され、その後、第２のセンサ１２１に対応する統計処理の結果が判定条件を満たすと判定されたとする。この場合、上記設備Ｘにおいて、第１のセンサ１２１に対応する第１の箇所に異常が生じている期間に、第２のセンサ１２１に対応する第２の箇所が正常に動作していた期間が含まれる。すなわち、第１の箇所に異常が生じていても第２の箇所を正常化できる可能性が高いので、第２の箇所は、第１の箇所と比較して、正常な状態に戻す必要性が高い。
【０１９８】
上記のように、判定条件を満たすと判定された日時が最新であるセンサ１２１を選択し、選択したセンサ１２１に関する内容を表示する制御を行う構成により、設備画面Ｇ２において、より効果的な通知を行うことができる。
【０１９９】
また、本発明の実施の形態に係る管理装置１０１では、表示制御部１５は、さらに、複数のエリアの状態を示すエリア画面Ｇ１を表示する制御を行う。また、表示制御部１５は、エリアにおける各設備Ｘの状態のうち、設備Ｘの状態の種類に関する所定の優先度に応じてエリア画面Ｇ１におけるエリアの状態を決定する。そして、表示制御部１５は、エリア画面Ｇ１においてエリアの状態に対する所定の操作が行われた場合、設備画面Ｇ２を表示する。
【０２００】
このような構成により、たとえば、エリアの状態であって、ユーザに通知すべき優先度の高い種類の状態をエリア画面Ｇ１に表示することができる。また、ユーザにおいて、各エリアの状態を把握したうえで１つのエリアを任意に選択し、選択したエリアに対応する設備画面Ｇ２を表示させることができる。
【０２０１】
また、本発明の実施の形態に係る管理方法では、まず、取得部１１は、１または複数のセンサの計測結果を示すセンサデータを取得する。次に、表示制御部１５は、計測値に関する監視対象範囲Ｒの設定を受け付ける範囲設定画面Ｇ５を表示する制御を行う。次に、表示制御部１５は、異常判定の判定条件の設定を受け付ける閾値設定画面Ｇ６を表示する制御を行う。次に、演算部２１は、取得部１１により取得されたセンサデータのうち、監視対象範囲Ｒに含まれるセンサデータである範囲内データを含むデータ群の統計処理を行う。次に、判定部２２は、演算部２１による統計処理の結果が上記判定条件を満たす場合、所定の出力を行う。
【０２０２】
このように、監視対象範囲Ｒおよび異常判定の判定条件の設定を受け付ける方法により、センサ１２１の計測対象等に応じた適切な異常判定を行うことができる。また、範囲内データを含むデータ群の統計処理を行う構成により、複数のセンサデータをそのまま用いて異常判定を行う場合と比較して、計測値のばらつき等を抑えたデータ群を用いてより適切な異常判定を行うことができる。
【０２０３】
したがって、本発明の実施の形態に係る管理方法では、センサ１２１の計測結果に基づく設備Ｘの監視をより適切に行うことができる。
【０２０４】
上記実施の形態は、すべての点で例示であって制限的なものではないと考えられるべきである。本発明の範囲は、上記説明ではなく請求の範囲によって示され、請求の範囲と均等の意味および範囲内でのすべての変更が含まれることが意図される。
【０２０５】
以上の説明は、以下に付記する特徴を含む。
［付記１］
センサの計測結果を示すセンサデータを取得する取得部と、
計測値に関する監視対象範囲の設定を受け付ける画面を表示する制御を行う表示制御部と、
前記取得部により取得された前記センサデータのうち、前記計測値に関する監視対象範囲に含まれる前記センサデータである範囲内データを含むデータ群の統計処理を行う演算部とを備え、
前記表示制御部は、さらに、異常判定の判定条件の設定を受け付ける画面を表示する制御を行い、
さらに、
前記演算部による前記統計処理の結果が前記判定条件を満たす場合、所定の出力を行う出力部とを備え、
前記表示制御部は、前記監視対象範囲の設定を受け付ける画面に、前記センサの計測結果の時系列変化を示すグラフを含めて表示する制御を行い、
前記表示制御部は、前記異常判定の設定を受け付ける画面に、前記判定条件に用いられる計測値に関する閾値の入力欄を含めて表示する制御を行い、
前記演算部は、前記統計処理として、複数の前記センサデータに対する平均化処理を行う、管理装置。
【符号の説明】
【０２０６】
１１  取得部
１２  記憶部
１３  抽出部
１４  処理部
１５  表示処理部
１６  入力受付部
２１  演算部
２２  判定部（出力部）
１０１  管理装置
１２１  センサ
１３１  表示装置
２０１  管理システム
【図１】
2019220913.tif 000003
【図２】
2019220913.tif 000004
【図３】
2019220913.tif 000005
【図４】
2019220913.tif 000006
【図５】
2019220913.tif 000007
【図６】
2019220913.tif 000008
【図７】
2019220913.tif 000009
【図８】
2019220913.tif 000010
【図９】
2019220913.tif 000011
【図１０】
2019220913.tif 000012
【図１１】
2019220913.tif 000013
【図１２】
2019220913.tif 000014
【図１３】
2019220913.tif 000015
【図１４】
2019220913.tif 000016
【図１５】
2019220913.tif 000017
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
１または複数のセンサの計測結果を示すセンサデータを取得する取得部と、
計測値に関する監視対象範囲の設定を受け付ける画面および異常判定の判定条件の設定を受け付ける画面を表示する制御を行う表示制御部と、
前記取得部により取得された前記センサデータのうち、前記計測値に関する監視対象範囲に含まれる前記センサデータである範囲内データを含むデータ群の統計処理を行う演算部と、
前記演算部による前記統計処理の結果が前記判定条件を満たす場合、所定の出力を行う出力部とを備え、
前記表示制御部は、前記取得部により取得された前記センサデータの示す前記計測結果に、設定された前記監視対象範囲を重畳した画面を表示する制御をさらに行う、管理装置。
【請求項２】
前記表示制御部は、さらに、期間に関する監視対象範囲の設定を受け付ける画面を表示する制御を行い、
前記演算部は、前記取得部により取得された前記センサデータのうち、前記計測値に関する監視対象範囲に含まれ、かつ前記期間に関する監視対象範囲に含まれる前記センサデータである範囲内データを含むデータ群の統計処理を行う、請求項１に記載の管理装置。
【請求項３】
前記画面において、前記期間として周期的な期間を設定可能である、請求項２に記載の管理装置。
【請求項４】
前記表示制御部は、さらに、前記範囲内データに含まれない前記センサデータである範囲外データの処理方法の設定を受け付ける画面を表示する制御を行い、
前記演算部は、前記範囲内データに、設定された前記処理方法による前記範囲外データの処理結果を加えたデータ群の統計処理を行う、請求項１から請求項３のいずれか１項に記載の管理装置。
【請求項５】
前記表示制御部は、さらに、設備を示すとともに前記設備に設置された複数の前記センサの計測結果の状態を示す、センサ画面を表示する制御を行い、
前記表示制御部は、前記センサ画面において、対応の前記センサデータが前記判定条件を満たすか否かに応じて前記状態を異なる態様で表示し、
前記表示制御部は、前記センサ画面において前記状態に対する所定の操作が行われた場合、前記範囲内データおよび前記判定条件の少なくともいずれか一方に関する画面、または前記画面へ遷移するための画面を表示する、請求項１から請求項４のいずれか１項に記載の管理装置。
【請求項６】
前記表示制御部は、さらに、エリアを示すとともに前記エリアに設置された複数の設備の状態を示す、設備画面を表示する制御を行い、
前記表示制御部は、前記設備における各前記センサの計測結果の状態のうち、前記状態の種類に関する所定の優先度に応じて前記設備画面における前記設備の状態を決定し、
前記表示制御部は、前記設備画面において前記設備の状態に対する所定の操作が行われた場合、前記センサ画面を表示する、請求項５に記載の管理装置。
【請求項７】
前記表示制御部は、前記設備に設置された前記センサに関する内容をさらに示す前記設備画面を表示する制御を行い、
前記表示制御部は、前記設備に設置された複数の前記センサにそれぞれ対応する複数の前記統計処理の結果が前記判定条件を満たす場合、複数の前記センサのうち、前記判定条件を満たすと判定された日時が最新である前記統計処理の結果に対応する前記センサを選択し、選択した前記センサに関する内容を示す前記設備画面を表示する制御を行う、請求項６に記載の管理装置。
【請求項８】
前記表示制御部は、さらに、複数のエリアの状態を示すエリア画面を表示する制御を行い、
前記表示制御部は、前記エリアにおける各設備の状態のうち、前記設備の状態の種類に関する所定の優先度に応じて前記エリア画面における前記エリアの状態を決定し、
前記表示制御部は、前記エリア画面において前記エリアの状態に対する所定の操作が行われた場合、前記設備画面を表示する、請求項６または請求項７に記載の管理装置。
【請求項９】
前記監視対象範囲は、前記計測値の上限値および下限値の少なくともいずれか一方を規定する、請求項１から請求項８のいずれか１項に記載の管理装置。
【請求項１０】
管理装置における管理方法であって、
１または複数のセンサの計測結果を示すセンサデータを取得するステップと、
計測値に関する監視対象範囲の設定を受け付ける画面を表示する制御を行うステップと、
異常判定の判定条件の設定を受け付ける画面を表示する制御を行うステップと、
取得した前記センサデータのうち、前記計測値に関する監視対象範囲に含まれる前記センサデータである範囲内データを含むデータ群の統計処理を行うステップと、
前記統計処理の結果が前記判定条件を満たす場合、所定の出力を行うステップと、
取得した前記センサデータの示す前記計測結果に、設定された前記監視対象範囲を重畳した画面を表示する制御を行うステップとを含む、管理方法。
【請求項１１】
管理装置において用いられる管理プログラムであって、
コンピュータを、
１または複数のセンサの計測結果を示すセンサデータを取得する取得部と、
計測値に関する監視対象範囲の設定を受け付ける画面および異常判定の判定条件の設定を受け付ける画面を表示する制御を行う表示制御部と、
前記取得部により取得された前記センサデータのうち、前記計測値に関する監視対象範囲に含まれる前記センサデータである範囲内データを含むデータ群の統計処理を行う演算部と、
前記演算部による前記統計処理の結果が前記判定条件を満たす場合、所定の出力を行う出力部、
として機能させるためのプログラムであり、
前記表示制御部は、前記取得部により取得された前記センサデータの示す前記計測結果に、設定された前記監視対象範囲を重畳した画面を表示する制御をさらに行う、管理プログラム。
【国際調査報告】
2019220913.tif 000018
2019220913.tif 000019
2019220913.tif 000020
2019220913.tif 000021